(57)【要約】【課題】照明器具への適切な取り付けを支援し、信頼性を高めることができる照明用光源を提供する。【解決手段】直管ＬＥＤランプ１は、長尺状の筐体２０と、筐体２０の長手方向の端部に設けられた給電用口金３０とを備え、給電用口金３０は、筒状の口金本体３１を有し、口金本体３１は、所定の属性が異なる他の直管ＬＥＤランプから直管ＬＥＤランプ１を知覚的に識別することを可能にする識別部を有する。【選択図】図１
2015176679.tif 000002
【特許請求の範囲】
【請求項１】
照明用光源であって、
長尺状の筐体と、
前記筐体の長手方向の端部に設けられた口金とを備え、
前記口金は、筒状の口金本体を有し、
前記口金本体は、所定の属性が異なる他の照明用光源から当該照明用光源を知覚的に識別することを可能にする識別部を有する
照明用光源。
【請求項２】
前記口金本体は、樹脂材料から構成され、
前記識別部は、前記口金本体の外面の少なくとも一部であって、前記樹脂材料の色とは異なる色に着色された部分である
請求項１に記載の照明用光源。
【請求項３】
前記口金本体の外面の一部には、凹部が設けられ、
前記識別部は、前記樹脂材料の色とは異なる色に着色された、前記凹部の内面である
請求項２に記載の照明用光源。
【請求項４】
前記識別部は、前記樹脂材料の色とは異なる色に着色された、前記口金本体の全体である
請求項２に記載の照明用光源。
【請求項５】
前記識別部は、前記口金本体の外面の一部に設けられた、前記樹脂材料の色とは異なる色の金属薄膜である
請求項２に記載の照明用光源。
【請求項６】
前記他の照明用光源及び当該照明用光源を含む複数の照明用光源の属性毎に、互いに異なる色が予め対応付けられており、
前記樹脂材料の色とは異なる色は、当該照明用光源の属性に対応する色である
請求項２〜５のいずれか１項に記載の照明用光源。
【請求項７】
前記識別部は、前記口金本体の形状であり、
前記口金本体は、矩形の開口を有する
請求項１に記載の照明用光源。
【請求項８】
前記他の照明用光源及び当該照明用光源を含む複数の照明用光源の属性毎に、口金本体の互いに異なる形状が予め対応付けられており、
前記口金本体は、当該照明用光源の属性に対応する口金本体の形状として、矩形の開口を有する
請求項７に記載の照明用光源。
【請求項９】
前記属性は、照明用光源の型番を示す情報である
請求項１〜８のいずれか１項に記載の照明用光源。
【請求項１０】
前記属性は、照明用光源の使用環境又は使用目的を示す情報である
請求項１〜８のいずれか１項に記載の照明用光源。
【請求項１１】
請求項１〜１０のいずれか１項に記載の照明用光源を備える照明装置。
【発明の詳細な説明】
【技術分野】
【０００１】
本発明は、照明用光源及び照明装置に関し、例えば、発光ダイオード（ＬＥＤ：Ｌｉｇｈｔ  Ｅｍｉｔｔｉｎｇ  Ｄｉｏｄｅ）などの発光素子を有する照明用光源及び照明装置に関する。
【背景技術】
【０００２】
ＬＥＤは、高効率及び長寿命であることから、従来から知られる蛍光ランプ又は白熱電球などの各種ランプに対する代替光源として期待されている。中でも、ＬＥＤを用いたランプ（ＬＥＤランプ）の製品開発が盛んに進められている。
【０００３】
この種のＬＥＤランプとして、例えば、直管形蛍光ランプに代替する直管形のＬＥＤランプ（直管ＬＥＤランプ）が知られている（特許文献１参照）。
【０００４】
このような直管ＬＥＤランプは、長尺状の外郭筐体の両端部に設けられた口金と、ＬＥＤモジュールと、ＬＥＤモジュールを点灯させるための点灯回路とを備える。ＬＥＤモジュールは、例えば、基板と、基板上に実装された複数のＬＥＤ素子とを備える。
【先行技術文献】
【特許文献】
【０００５】
【特許文献１】特開２００９−０４３４４７号公報
【発明の概要】
【発明が解決しようとする課題】
【０００６】
しかしながら、上記従来の直管ＬＥＤランプでは、どの照明器具に取り付ければいいのかが識別できない。例えば、口金ピンの形状、又は、仕様書などから識別は可能かもしれないが、一般のユーザにとっては、煩わしく困難である。
【０００７】
そこで、本発明は、照明器具への適切な取り付けを支援し、信頼性を高めることができる照明用光源、及び、当該照明用光源を備える照明装置を提供する。
【課題を解決するための手段】
【０００８】
上記課題を解決するため、本発明の一態様に係る照明用光源は、長尺状の筐体と、前記筐体の長手方向の端部に設けられた口金とを備え、前記口金は、筒状の口金本体を有し、前記口金本体は、所定の属性が異なる他の照明用光源から当該照明用光源を知覚的に識別することを可能にする識別部を有する。
【０００９】
また、本発明の一態様に係る照明用光源では、前記口金本体は、樹脂材料から構成され、前記識別部は、前記口金本体の外面の少なくとも一部であって、前記樹脂材料の色とは異なる色に着色された部分であってもよい。
【００１０】
また、本発明の一態様に係る照明用光源では、前記口金本体の外面の一部には、凹部が設けられ、前記識別部は、前記樹脂材料の色とは異なる色に着色された、前記凹部の内面であってもよい。
【００１１】
また、本発明の一態様に係る照明用光源では、前記識別部は、前記樹脂材料の色とは異なる色に着色された、前記口金本体の全体であってもよい。
【００１２】
また、本発明の一態様に係る照明用光源では、前記識別部は、前記口金本体の外面の一部に設けられた、前記樹脂材料の色とは異なる色の金属薄膜であってもよい。
【００１３】
また、本発明の一態様に係る照明用光源では、前記他の照明用光源及び当該照明用光源を含む複数の照明用光源の属性毎に、互いに異なる色が予め対応付けられており、前記樹脂材料の色とは異なる色は、当該照明用光源の属性に対応する色であってもよい。
【００１４】
また、本発明の一態様に係る照明用光源では、前記識別部は、前記口金本体の形状であり、前記口金本体は、矩形の開口を有してもよい。
【００１５】
また、本発明の一態様に係る照明用光源では、前記他の照明用光源及び当該照明用光源を含む複数の照明用光源の属性毎に、口金本体の互いに異なる形状が予め対応付けられており、前記口金本体は、当該照明用光源の属性に対応する口金本体の形状として、矩形の開口を有してもよい。
【００１６】
また、本発明の一態様に係る照明用光源では、前記属性は、照明用光源の型番を示す情報であってもよい。
【００１７】
また、本発明の一態様に係る照明用光源では、前記属性は、照明用光源の使用環境又は使用目的を示す情報であってもよい。
【００１８】
また、本発明の一態様に係る照明装置は、上記照明用光源を備える照明装置である。
【発明の効果】
【００１９】
本発明によれば、照明器具への適切な取り付けを支援し、信頼性を高めることができる。
【図面の簡単な説明】
【００２０】
【図１】本発明の実施の形態１に係る直管ＬＥＤランプの一例を示す概観斜視図である。
【図２】本発明の実施の形態１に係る直管ＬＥＤランプの型番と口金本体の色との対応関係の一例を示す図である。
【図３】本発明の実施の形態１に係る直管ＬＥＤランプの型番と金属薄膜の種類との対応関係の一例を示す図である。
【図４】本発明の実施の形態１に係る直管ＬＥＤランプの型番と口金本体の形状との対応関係の一例を示す図である。
【図５Ａ】本発明の実施の形態１の変形例１に係る給電用口金の一例を示す概観斜視図である。
【図５Ｂ】本発明の実施の形態１の変形例１に係る給電用口金の一例を示す平面図である。
【図６】本発明の実施の形態１の変形例２に係る直管ＬＥＤランプの使用環境と口金本体の色との対応関係の一例を示す図である。
【図７】本発明の実施の形態１の変形例２に係る直管ＬＥＤランプの使用目的と口金本体の色との対応関係の一例を示す図である。
【図８】本発明の実施の形態２に係る照明装置の一例を示す概観斜視図である。
【発明を実施するための形態】
【００２１】
以下では、本発明の実施の形態に係る照明用光源及び照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２２】
また、各図は、模式図であり、必ずしも厳密に図示されたものではない。また、各図において、同じ構成部材については同じ符号を付している。
【００２３】
以下の実施の形態では、照明用光源の一態様である直管ＬＥＤランプ、及び、当該直管ＬＥＤランプを備える照明装置について例示する。
【００２４】
（実施の形態１）
まず、本発明の実施の形態１に係る直管ＬＥＤランプについて説明する。なお、本実施の形態に係る直管ＬＥＤランプは、従来の直管形蛍光ランプに代替する照明用光源の一例である。
【００２５】
［直管ＬＥＤランプの全体構成］
まず、本実施の形態に係る直管ＬＥＤランプの構成の一例について、図１を用いて説明する。図１は、本発明の実施の形態１に係る直管ＬＥＤランプの一例を示す概観斜視図である。
【００２６】
図１に示すように、直管ＬＥＤランプ１は、ＬＥＤモジュール１０と、長尺状の筐体２０と、筐体２０の長手方向（管軸方向）の端部のそれぞれに固定された給電用口金３０及び非給電用口金４０とを備える。直管ＬＥＤランプ１は、例えば、４０形の直管ＬＥＤランプであり、ランプ全長が約１２００ｍｍである。
【００２７】
なお、図１において、Ｘ軸方向は、ＬＥＤモジュール１０の短手方向である。Ｙ軸方向は、ＬＥＤモジュール１０の長手方向、すなわち、筐体２０の管軸方向である。Ｚ軸方向は、ＬＥＤモジュール１０の主面に垂直な方向である。
【００２８】
以下、直管ＬＥＤランプ１の各構成部材について詳述する。
【００２９】
［ＬＥＤモジュール］
まず、本実施の形態に係るＬＥＤモジュール１０について説明する。
【００３０】
図１に示すように、ＬＥＤモジュール１０は、直管ＬＥＤランプ１の光源であり、筐体２０内に配置される。例えば、ＬＥＤモジュール１０は、筐体２０から端部がはみ出るように配置されている。
【００３１】
本実施の形態に係るＬＥＤモジュール１０は、表面実装（ＳＭＤ：Ｓｕｒｆａｃｅ  Ｍｏｕｎｔ  Ｄｅｖｉｃｅ）型の発光モジュールである。ＬＥＤモジュール１０は、基板１１と、基板１１に実装された複数のＬＥＤ素子１２とを備える。また、図示しないが、ＬＥＤモジュール１０は、複数のＬＥＤ素子１２を点灯するための点灯回路と、複数のＬＥＤ素子１２及び点灯回路を電気的に接続するための所定形状にパターン形成された金属配線とを備える。
【００３２】
基板１１は、筐体２０内に配置された長尺状の基板である。基板１１は、例えば、矩形の基板である。基板１１は、長手方向（図１のＹ軸方向）が直管状の筐体２０の長手方向と平行になり、かつ、短手方向（図１のＸ軸方向）が筐体２０の短手方向と平行になるように、筐体２０内に配置される。
【００３３】
基板１１は、互いに対向する第１主面（表面）及び第２主面（裏面）を有する。図１に示すように、基板１１の第１主面には、長手方向に並んで配置された複数のＬＥＤ素子１２と、複数のＬＥＤ素子１２に電力を供給するための金属配線（図示せず）とが設けられている。
【００３４】
基板１１は、例えば、長さ１１５０〜１２００ｍｍ（長手方向）、幅５〜２５ｍｍ（短手方向）、厚さ０．３〜２．０ｍｍである。なお、基板１１は、筐体２０より長手方向において長い。
【００３５】
具体的には、基板１１は、ＬＥＤ素子１２を実装するための実装基板である。基板１１は、例えば、樹脂をベースとする樹脂基板、金属をベースとするメタルベース基板、セラミックからなるセラミック基板、又は、ガラスからなるガラス基板などである。
【００３６】
樹脂基板は、例えば、ガラス繊維とエポキシ樹脂とからなるガラスエポキシ基板（ＣＥＭ−３、ＦＲ−４など）、紙フェノール若しくは紙エポキシからなる基板（ＦＲ−１など）、又は、ポリイミドなどからなる可撓性を有するフレキシブル基板などである。メタルベース基板は、例えば、表面に絶縁膜が形成されたアルミニウム合金基板、鉄合金基板又は銅合金基板などである。本実施の形態では、基板１１として、ＣＥＭ−３の両面基板を用いている。
【００３７】
基板１１の長手方向の一方の端部は、給電用口金３０に覆われている。また、基板１１の長手方向の他方の端部は、非給電用口金４０に覆われている。例えば、基板１１は、筐体２０から端部がはみ出るように配置されており、少なくともはみ出た部分は、給電用口金３０及び非給電用口金４０に覆われている。
【００３８】
基板１１は、例えば、複数の位置で接着剤によって筐体２０の内面に固定されている。接着剤は、筐体２０の内面と基板１１の第２主面（裏面）との間に断続的に塗布されている。接着剤は、例えば、シリコーン樹脂又はセメントである。なお、基板１１と筐体２０とを接着固定する接着剤は、筐体２０の長手方向に沿って連続的に塗布されていてもよい。
【００３９】
基板１１と筐体２０とを接着する接着剤としては、放熱性の観点からは、熱伝導率が１．０Ｗ／ｍ・Ｋ以上の材料を用いることが好ましい。また、軽量化の観点からは、接着剤としては、比重が２以下の材料を用いることが好ましい。
【００４０】
なお、基板１１と筐体２０とを固定する部材としては、基板１１の第２主面と筐体２０の内面とに密着可能な厚み及び形状を有する両面テープを用いてもよい。すなわち、基板１１と筐体２０とを固定できる部材であれば、いかなるものでもよい。
【００４１】
ＬＥＤ素子１２は、発光素子の一例であり、基板１１上に実装される。本実施の形態では、複数のＬＥＤ素子１２は、基板１１の長手方向に沿ってライン状に一列配置されるように実装されている。複数のＬＥＤ素子１２のそれぞれは、図１に示すように、互いに離間して配置されている。
【００４２】
ＬＥＤ素子１２は、ＬＥＤチップと蛍光体とがパッケージ化された、いわゆるＳＭＤ型の発光素子である。ＬＥＤ素子１２は、パッケージと、パッケージに配置されたＬＥＤチップと、ＬＥＤチップを封止する封止部材とを備える。ＬＥＤ素子１２は、例えば、白色光を発する白色ＬＥＤ素子である。
【００４３】
パッケージは、白色樹脂などによって成形された容器であり、逆円錐台形状の凹部（キャビティ）を備える。凹部の内側面は傾斜しており、ＬＥＤチップからの光を上方に反射させるように構成されている。
【００４４】
ＬＥＤチップは、パッケージの凹部の底面に実装されている。ＬＥＤチップは、単色の可視光を発するベアチップであり、ダイアタッチ材（ダイボンド材）によって、パッケージの凹部の底面にダイボンディング実装されている。ＬＥＤチップは、例えば、通電されると青色光を発する青色ＬＥＤチップである。
【００４５】
封止部材は、光波長変換体である蛍光体を含む蛍光体含有樹脂であり、ＬＥＤチップから発せられた光を所定の波長に変換（色変換）する。また、封止部材は、ＬＥＤチップを封止することで、ＬＥＤチップを保護する。封止部材は、パッケージの凹部に充填されており、当該凹部の開口面まで封入されている。
【００４６】
封止部材は、ＬＥＤチップが発する光の色（波長）と、光源として求められる光の色（波長）とに基づいて選択された材料を含む。例えば、ＬＥＤチップが青色ＬＥＤチップである場合に白色光を得るために、封止部材として、ＹＡＧ（イットリウム・アルミニウム・ガーネット）系の黄色蛍光体粒子をシリコーン樹脂に分散させた蛍光体含有樹脂を用いることができる。これにより、黄色蛍光体粒子が青色ＬＥＤチップの青色光によって励起されて黄色光を放出するので、封止部材からは、励起された黄色光と青色ＬＥＤチップの青色光との合成光として白色光が放出される。なお、封止部材に、シリカ（ＳｉＯ２）などの光拡散材を含有させてもよい。
【００４７】
このように構成されるＬＥＤ素子１２は、正極及び負極の２つの電極端子を有しており、これらの電極端子と基板１１に形成された金属配線とが電気的に接続されている。
【００４８】
金属配線（図示せず）は、複数のＬＥＤ素子１２のそれぞれに対して所定の電力を供給するための金属配線である。金属配線は、予め定められた形状でパターン形成されている。本実施の形態では、直管ＬＥＤランプ１は、給電用口金３０のみの片側から筐体２０内の全てのＬＥＤ素子１２に給電する片側給電方式を採用している。
【００４９】
例えば、金属配線は、２本のリード線（一対のリード線）によって給電用口金の一対の給電ピン３２に接続される。例えば、リード線の端部は、金属配線に半田付けされる。なお、リード線の端部は、金属配線にコネクタ接続されてもよい。
【００５０】
金属配線は、例えば、銅（Ｃｕ）などの高伝導率を有する金属から構成される。あるいは、金属配線は、ニッケル、アルミニウム若しくは金、又は、これらのうち２以上の金属からなる積層膜若しくは合金でもよい。
【００５１】
点灯回路（図示せず）は、ＬＥＤモジュール１０に実装されたＬＥＤ素子１２を点灯するためのＬＥＤ点灯回路である。点灯回路は、１つ又は複数の回路素子（回路部品）から構成される。
【００５２】
点灯回路は、例えば、リード線を介して入力される直流電圧を、ＬＥＤ素子１２を発光させるための所定の極性に調整して出力する。点灯回路から出力される直流電力は、例えば、基板１１に形成された金属配線を介してＬＥＤモジュール１０のＬＥＤ素子１２に供給される。
【００５３】
回路素子（図示せず）は、ＬＥＤモジュール１０の基板１１を利用して、基板１１に直接実装されている。回路素子は、例えば、整流回路、検知抵抗又はヒューズ素子などである。その他必要に応じて、抵抗、コンデンサ、コイル、ダイオード又はトランジスタなどを用いてもよい。
【００５４】
また、基板１１とは別の基板（回路基板）に点灯回路を設けてもよい。この場合、回路基板と基板１１とをリード線などで電気的に接続すればよい。
【００５５】
また、ＬＥＤモジュール１０の光取り出し効率を向上させるために、基板１１の表面に白色塗料（白レジスト）を塗装してもよい。白レジストは、高光反射性を有するので、ＬＥＤモジュール１０の光取り出し効率を向上させることができる。また、白レジストを形成することによって、基板１１の絶縁性（耐圧）を向上させることができ、かつ、金属配線の酸化を抑制することができる。
【００５６】
なお、リード線は、例えば、細い銅線などを撚り合わせたものであり、表面がポリ塩化ビニル又はシリコーンゴムなどの絶縁性部材で覆われている。具体的には、リード線の両端は、導電性の金属線などが露出しており、両端を除く部分は、絶縁性部材に覆われている。リード線は、金属の露出部分（両端部分）と、被覆部分（両端を除く部分）とを含んでいる。
【００５７】
［筐体］
筐体２０は、内部に基板１１が配置された長尺状の筐体である。具体的には、筐体２０は、ＬＥＤモジュール１０の一部を覆う透光性を有する長尺状の透光性カバーである。
【００５８】
例えば、図１に示すように、筐体２０は、両端部に開口を有する長尺状の筒体である。具体的には、筐体２０は、直管状の外管であり、透明樹脂材料又はガラスから構成される。筐体２０は、短手方向の断面（ＸＺ断面）が円形の円筒である。なお、筐体２０の長手方向の一方の端部は、給電用口金３０に覆われている。また、筐体２０の長手方向の他方の端部は、非給電用口金４０に覆われている。
【００５９】
例えば、筐体２０は、可視光に対して透明なシリカガラス製のガラスバルブ（クリアバルブ）である。この場合、筐体２０内に配置されたＬＥＤモジュール１０は、筐体２０の外側から視認することができる。
【００６０】
具体的には、筐体２０は、シリカが７０〜７２％のソーダ石灰ガラスを主成分として含み、熱伝導率が約１．０Ｗ／ｍ・Ｋのガラス管（ガラスバルブ）である。あるいは、筐体２０は、アクリル（ＰＭＭＡ）又はポリカーボネート（ＰＣ）などの樹脂材料を含むプラスチック管でもよい。
【００６１】
なお、ＬＥＤモジュール１０からの光を拡散させるために、筐体２０は光拡散機能を有してもよい。例えば、筐体２０の内面又は外面に光拡散シート又は光拡散膜を形成すればよい。具体的には、シリカ若しくは炭酸カルシウムなどの光拡散材（微粒子）を含有する樹脂、又は、白色顔料を筐体２０の内面又は外面に付着させることで、乳白色の光拡散膜を形成することができる。
【００６２】
また、筐体２０の内部若しくは外部に設けられたレンズ構造物、又は、筐体２０の内面若しくは外面に形成された凹部若しくは凸部によって光拡散機能を実現してもよい。例えば、筐体２０の内面又は外面にドットパターンを印刷し、又は、筐体２０の一部を加工することで、光拡散機能を実現することができる。あるいは、光拡散材が分散された樹脂材料などを用いて筐体２０そのものを成形することで、光拡散機能を実現することもできる。
【００６３】
このように、筐体２０に光拡散機能を持たせることによって、ＬＥＤモジュール１０から放射された光を、筐体２０を当該光が通過する際に拡散させることができる。例えば、本実施の形態のように、ＳＭＤ型のＬＥＤ素子１２が離間して配置されていると、光のつぶつぶ感（輝度ばらつき）が発生する恐れがある。これに対して、筐体２０に光拡散機能を持たせることで、光のつぶつぶ感を抑制することができる。
【００６４】
［給電用口金］
給電用口金３０は、ＬＥＤモジュール１０に電力を供給するための給電用口金である。言い換えると、給電用口金３０は、複数のＬＥＤ素子１２を発光させるための電力を受電する。
【００６５】
給電用口金３０は、筐体２０又は基板１１の長手方向（Ｙ軸方向）の一方の端部に設けられる。給電用口金３０は、ＬＥＤ素子１２を点灯させるための電力をランプ外部から受ける。
【００６６】
給電用口金３０は、筐体２０の長手方向の一方の端部に蓋をするようにキャップ状に構成されている。つまり、給電用口金３０は、有底筒形状であり、筐体２０の長手方向の一方の端部を覆うように設けられる。例えば、給電用口金３０は、接着剤によって筐体２０の一方の端部に接着固定される。本実施の形態では、給電用口金３０は、一方に開口を有し、他方に底部を有する円筒である。
【００６７】
なお、給電用口金３０と筐体２０との接着に用いられる接着剤は、例えば、シリコーン樹脂である。例えば、給電用口金３０と筐体２０との接着に用いられる接着剤は、基板１１と筐体２０との接続に用いられる接着剤と同じ材料から構成される。このとき、筐体２０からはみ出た基板１１の一方の端部と給電用口金３０とを接着剤によって固定してもよい。
【００６８】
図１に示すように、給電用口金３０は、口金本体３１と、給電ピン３２とを備える。
【００６９】
口金本体３１は、筐体２０の長手方向の一方の端部に設けられる。例えば、口金本体３１は、筒状の口金本体であり、給電用口金３０の外郭をなす。口金本体３１は、給電ピン３２を保持する。
【００７０】
具体的には、口金本体３１は、開口及び底部を有する筒状の口金本体である。本実施の形態に係る口金本体３１は、有底円筒形状であり、円形の開口と円板状の底部とを有する。
【００７１】
口金本体３１は、例えば、ポリブチレンテレフタレート（ＰＢＴ）などの樹脂材料から構成される。ここで、給電用口金３０は、例えば、給電ピン３２と樹脂材料とを用いたインサート成形によって作製される。なお、樹脂成形体である口金本体３１に給電ピン３２を圧入することで、給電用口金３０を作製することもできる。
【００７２】
口金本体３１は、所定の属性が異なる他の直管ＬＥＤランプから直管ＬＥＤランプ１を知覚的に識別することを可能にする識別部を有する。例えば、識別部は、口金本体３１の形態である。具体的には、識別部は、複数の属性に予め対応付けられた複数の色のうち、直管ＬＥＤランプ１の属性に対応する色を有する。図１に示す例では、後述する図２を参照して分かるように、口金本体３１は、「赤」色に着色されている。直管ＬＥＤランプ１の属性と、口金本体３１の形態との具体例については、後で説明する。
【００７３】
給電ピン３２は、口金ピンの一例であり、口金本体３１に設けられる。給電ピン３２は、具体的には、ＬＥＤモジュール１０を発光させるための電力を照明器具などの外部機器から受ける一対の導電ピンである。
【００７４】
例えば、給電ピン３２は、真鍮などの金属材料から構成される。給電ピン３２を照明器具の受金に装着することで、給電ピン３２は、照明器具に内蔵された電源装置から直流電力を受けることができる。
【００７５】
具体的には、給電ピン３２は、口金本体３１の底部を貫通するように設けられている。給電ピン３２は、口金本体３１の底部の外面から外方に向かって突出し、かつ、口金本体３１の底部の内面から開口に向かって突出している。給電ピン３２のうち、口金本体３１の底部の内面から開口に向かって突出している部分は、基板１１の金属電極にリード線によって接続される。
【００７６】
なお、本実施の形態に係る給電用口金３０は、「ＪＩＳ  Ｃ  ７７０９−１」に準拠した直管ＬＥＤランプにおけるＧＸ１６ｔ−５口金（Ｌ形ピン口金）であるので、給電ピン３２は、Ｌ字形である。
【００７７】
［非給電用口金］
非給電用口金４０は、直管ＬＥＤランプ１を照明器具に取り付ける機能を有する非給電側の口金である。非給電用口金４０は、図１に示すように、筐体２０又は基板１１の長手方向（Ｙ軸方向）の他方の端部に設けられる。つまり、非給電用口金４０は、給電用口金３０が設けられた筐体２０の長手方向の端部（一方の端部）の反対側の端部に設けられる。なお、非給電用口金４０は、照明器具を介してＬＥＤモジュール１０の所定領域を接地（アース）してもよい。
【００７８】
非給電用口金４０は、筐体２０の長手方向の他方の端部に蓋をするようにキャップ状に構成されている。つまり、非給電用口金４０は、有底筒形状であり、筐体２０の長手方向の他方の端部を覆うように設けられる。例えば、非給電用口金４０は、接着剤によって筐体２０の他方の端部に接着固定される。本実施の形態では、非給電用口金４０は、一方に開口を有し、他方に底部を有する円筒である。
【００７９】
なお、非給電用口金４０と筐体２０との接着に用いられる接着剤は、例えば、シリコーン樹脂である。例えば、非給電用口金４０と筐体２０との接着に用いられる接着剤は、基板１１と筐体２０との接続に用いられる接着剤と同じ材料から構成される。このとき、筐体２０からはみ出た基板１１の他方の端部と非給電用口金４０とを接着剤によって固定してもよい。
【００８０】
図１に示すように、非給電用口金４０は、口金本体４１と、非給電ピン４２とを備える。
【００８１】
口金本体４１は、筐体２０の長手方向の他方の端部に設けられる。例えば、口金本体４１は、筒状の口金本体であり、非給電用口金４０の外郭をなす。口金本体４１は、非給電ピン４２を保持する。
【００８２】
具体的には、口金本体４１は、開口及び底部を有する筒状の口金本体である。本実施の形態に係る口金本体４１は、有底円筒形状であり、円形の開口と円板状の底部とを有する。
【００８３】
口金本体４１は、例えば、ポリブチレンテレフタレート（ＰＢＴ）などの樹脂材料から構成される。ここで、非給電用口金４０は、例えば、非給電ピン４２と樹脂材料とを用いたインサート成形によって作製される。なお、樹脂成形体である口金本体４１に非給電ピン４２を圧入することで、非給電用口金４０を作製することもできる。
【００８４】
口金本体４１は、所定の属性が異なる他の直管ＬＥＤランプから直管ＬＥＤランプ１を知覚的に識別することを可能にする識別部を有する。例えば、識別部は、口金本体４１の形態である。具体的には、識別部は、複数の属性に予め対応付けられた複数の色のうち、直管ＬＥＤランプ１の属性に対応する色を有する。図１に示す例では、後述する図２を参照して分かるように、口金本体４１は、「赤」色に着色されている。
【００８５】
非給電ピン４２は、口金ピンの一例であり、直管ＬＥＤランプ１を照明器具に取り付けるための取り付けピンである。例えば、非給電ピン４２は、真鍮などの金属材料から構成された断面Ｔ字状の導電ピンである。
【００８６】
非給電ピン４２は、口金本体４１の底部から外方に向かって突出するように設けられている。非給電ピン４２は、口金本体４１の内面側には露出しておらず、口金本体４１に埋め込まれている。なお、非給電ピン４２は、口金本体４１の底部を貫通するように設けられていてもよい。具体的には、非給電ピン４２は、口金本体４１の底部の外面から外方に向かって突出し、かつ、口金本体４１の底部の内面から開口に向かって突出していてもよい。
【００８７】
［識別部］
本実施の形態に係る口金本体３１は、所定の属性が異なる他の直管ＬＥＤランプから直管ＬＥＤランプ１を知覚的に識別することを可能にする識別部を有する。具体的には、識別部は、口金本体３１の視覚的に識別可能な形態である。つまり、口金本体３１の識別部は、複数の属性に予め対応付けられた複数の形態のうち、直管ＬＥＤランプ１の属性に対応する形態を有する。
【００８８】
言い換えると、識別部は、直管ＬＥＤランプの属性に対応する識別情報を表示している。識別情報は、口金本体３１の色彩、模様又は形状などによって使用者が認識可能な情報である。具体的には、識別情報は、「赤」などの色、「ライン状」などの模様、又は、「角筒」などの形状によって表される情報である。
【００８９】
したがって、口金本体３１は、他の直管ＬＥＤランプから直管ＬＥＤランプ１を視覚的に識別可能である。言い換えると、口金本体３１を目視することで、直管ＬＥＤランプ１と他の直管ＬＥＤランプとの属性の違いを識別することができる。以下では、識別可能な口金本体、具体的には、口金本体が有する識別部について、具体例を挙げて説明する。
【００９０】
［型番と口金本体の色］
まず、視覚的に識別可能な口金本体３１の形態の一例である、口金本体３１の色彩について、図２を用いて説明する。なお、直管ＬＥＤランプ１の属性は、例えば、直管ＬＥＤランプ１の型番を示す情報である。
【００９１】
図２は、本発明の実施の形態１に係る直管ＬＥＤランプの型番と口金本体の色との対応関係の一例を示す図である。図２に示す例では、本実施の形態に係る直管ＬＥＤランプ１の識別部は、複数の型番に予め対応付けられた複数の色のうち、直管ＬＥＤランプ１の型番に対応する色を有する。
【００９２】
直管ＬＥＤランプ１の型番は、直管ＬＥＤランプ１の種別を示す情報である。具体的には、直管ＬＥＤランプ１の型番は、直管ＬＥＤランプ１の消費電力、口金の形状、筐体の形状、及び、光色などに基づいて規定された識別符号である。つまり、型番が同一であることは、同一の製品であることを意味する。したがって、同一の型番の直管ＬＥＤランプ１は、同一の照明器具に取り付けることができる。
【００９３】
図２に示すように、複数の型番のそれぞれに、互いに異なる色を対応付けている。例えば、「Ｐ００００１」〜「Ｐ００００４」という型番に、「赤」、「青」、「黄」、「黒」という色を１対１に対応付けている。なお、これらの直管ＬＥＤランプの型番と口金本体３１の色とは、一例に過ぎない。また、型番に対応する色としては、口金本体３１の主成分である樹脂材料の色とは異なる色を用いる。
【００９４】
口金本体３１の外面は、型番に対応する色が着色されている。例えば、口金本体３１の外面は、予め定められた型番と色との対応関係に基づいて着色されている。ここでは、口金本体３１の外面全体が、単一の色に着色されている。
【００９５】
例えば、口金本体３１は、口金本体３１の主成分である樹脂材料に顔料又は染料を混ぜることで着色される。したがって、口金本体３１は、外面だけでなく、口金本体３１全体が着色されている。
【００９６】
このように、口金本体３１は、樹脂材料と、当該樹脂材料とは異なる顔料又は染料とから構成される。直管ＬＥＤランプ１の型番に対応する色の顔料又は染料を用いることで、所望の色に着色された口金本体３１を容易に作製することができる。具体的には、樹脂材料と顔料又は染料とを混合した材料を用いた樹脂成形によって、口金本体３１は作製される。
【００９７】
樹脂材料としては、例えば、ＰＢＴなどの熱可塑性樹脂、又は、熱硬化性樹脂などを用いることができる。なお、ＰＢＴは、白色である。ＰＢＴが白色であるため、型番に対応する色としては、白色を除く有色であればよい。このとき、型番に対応する色は、互いに色相が十分に異なっていることが好ましい。これにより、視覚的な識別効果を高めることができる。
【００９８】
また、顔料又は染料としては、例えば、各色に対応した無機顔料若しくは有機顔料、又は、天然染料若しくは合成染料などを用いることができる。例えば、赤色の場合、鉛丹、又は、キナクリドンなどを用いることができる。青色の場合、ウルトラマリン青、又は、フタロシアニンなどを用いることができる。黄色の場合、黄鉛、又は、イソインドリンなどを用いることができる。黒色の場合、カーボンブラックなどを用いることができる。
【００９９】
なお、図２は、型番が互いに異なっていることを明示的に示すために、口金ピン（給電ピン３２）の形状が異なる例について示している。しかしながら、上述したように、型番の違いは、口金ピンの形状以外の違いも含んでいる。つまり、異なる型番の直管ＬＥＤランプが同一の形状の口金ピンを有する場合があるので、口金ピンを目視しただけでは、型番の違いを識別することができない。
【０１００】
同様に、例えば、異なる型番の直管ＬＥＤランプの消費電力が異なる場合、直管ＬＥＤランプを目視したところで、消費電力は識別できない。したがって、直管ＬＥＤランプ１を目視したところで、直管ＬＥＤランプ１の型番を識別することができない。
【０１０１】
これに対して、本実施の形態では、図２に示すように、直管ＬＥＤランプの型番と色とを対応付けている。これにより、口金本体３１の色によって直管ＬＥＤランプ１の型番を識別できるので、特に、直管ＬＥＤランプ１を新しいものに取り替える際に、格別の効果を奏する。
【０１０２】
具体的には、取り替え前に照明器具に取り付けられている直管ＬＥＤランプ１の口金本体３１の色と同じ色の口金本体を備える直管ＬＥＤランプに取り替えればよい。このように、口金本体３１の色を判断すればよく、型番の照合などを行う必要もないので、非常に容易に、適切な照明器具に直管ＬＥＤランプ１を取り付けることができる。このようにして、本実施の形態によれば、照明器具への適切な取り付けを支援し、信頼性を高めることができる。
【０１０３】
また、交換用の直管ＬＥＤランプ１を準備する場合においても、口金本体３１の色を判断すればよいので、非常に容易に準備することができる。したがって、直管ＬＥＤランプの在庫管理なども容易に行うことができる。
【０１０４】
また、直管ＬＥＤランプ１の属性を目視によって識別するためには、直管ＬＥＤランプ１の外郭に識別部を設ける必要がある。すなわち、属性を識別可能な部位、具体的には、属性に対応付けられた色に着色された部位を設ける必要がある。したがって、例えば、筐体２０、給電用口金３０及び非給電用口金４０のいずれかに、着色された部位が設けられることが好ましい。
【０１０５】
しかしながら、例えば、筐体２０は、ＬＥＤモジュール１０から発せられた光を透過させるために、透光性を有する必要がある。このため、筐体２０を着色した場合、光の透過率が低下し、又は、光色が変化してしまう。したがって、属性に対応した色の着色を筐体２０に行うことは困難である。
【０１０６】
また、給電用口金３０の給電ピン３２は、照明器具に取り付ける際に利用される。つまり、照明器具に取り付けられている場合には、給電ピン３２を目視することができない。これは、非給電用口金４０の非給電ピン４２の場合も同じである。したがって、給電ピン３２及び非給電ピン４２を着色した場合であっても、視覚的な識別効果が低い。
【０１０７】
これらに対して、本実施の形態のように、口金本体３１を着色したとしても、直管ＬＥＤランプ１の性能には大きな影響を与えない。なぜなら、口金本体３１は、通常、遮光性の材料から構成されており、光量及び光色に影響は与えないためである。また、口金本体３１を着色するだけで形状を変化させないので、直管ＬＥＤランプ１を照明器具に取り付ける際に妨げになることもない。
【０１０８】
以上のことから、属性に対応した色の着色を口金本体３１に行うことが好ましい。なお、非給電用口金４０の口金本体４１を着色してもよい。あるいは、図１に示すように、口金本体３１及び口金本体４１の双方を着色してもよい。このとき、口金本体３１及び口金本体４１は、同一の色に着色されてもよく、又は、互いに異なる色に着色されてもよい。
【０１０９】
以上のように、図２に示す例では、他の直管ＬＥＤランプ及び本実施の形態に係る直管ＬＥＤランプ１を含む複数の直管ＬＥＤランプの型番毎に、互いに異なる色が予め対応付けられている。このとき、本実施の形態に係る口金本体３１の色、すなわち、口金本体３１を構成する樹脂材料の色とは異なる色は、直管ＬＥＤランプ１自身の型番に対応する色である。
【０１１０】
また、識別部は、口金本体３１の外面の少なくとも一部であって、樹脂材料の色とは異なる色に着色された部分である。具体的には、識別部は、樹脂材料の色とは異なる色に着色された、口金本体３１の全体である。識別部を目視することで、すなわち、口金本体３１の色を目視することで、本実施の形態に係る直管ＬＥＤランプ１を他の直管ＬＥＤランプから識別することができる。
【０１１１】
なお、上記の例では、口金本体３１を構成する樹脂材料に顔料又は染料を混合した材料を用いた樹脂成形によって、口金本体３１を着色する例について説明したが、これに限らない。例えば、口金本体３１の外面に顔料又は染料を塗布してもよい。
【０１１２】
このとき、口金本体３１の全体ではなく、一部のみを着色してもよい。例えば、型番に対応する色を用いて、口金本体３１に所定の模様を付してもよい。具体的には、丸又は四角などの着色された図形を設けてもよい。あるいは、着色された数字又は文字などを設けてもよい。また、ドット模様、ストライプ模様などを設けてもよい。
【０１１３】
［型番と金属薄膜の種類］
次に、視覚的に識別可能な口金本体３１の一例として、口金本体３１の外面の一部に金属薄膜３３を設ける例について、図３を用いて説明する。なお、直管ＬＥＤランプ１の属性は、例えば、直管ＬＥＤランプ１の型番を示す情報である。
【０１１４】
図３は、本発明の実施の形態１に係る直管ＬＥＤランプの型番と金属薄膜の種類との対応関係の一例を示す図である。図３に示す例では、本実施の形態に係る直管ＬＥＤランプ１の識別部は、複数の型番に予め対応付けられた複数の種類（色及び数）の金属薄膜のうち、直管ＬＥＤランプ１の型番に対応する種類（色及び数）の金属薄膜を有する。
【０１１５】
図３に示すように、複数の型番のそれぞれに、互いに異なる色及び数の金属薄膜３３が対応付けられている。例えば、「Ｐ００００１」〜「Ｐ００００４」という型番に、「金１本」、「銀１本」、「金１本、銀１本」、「金２本」という金属薄膜３３の色及び数の組み合わせを１対１に対応付けている。なお、これらの直管ＬＥＤランプの型番、並びに、金属薄膜３３の色及び数は一例に過ぎない。
【０１１６】
具体的には、口金本体３１の側面部にライン状の金属薄膜３３が、口金本体３１の外周に沿って設けられている。例えば、金属薄膜３３は、めっきなどの表面処理によって設けられる。
【０１１７】
例えば、金色の金属薄膜３３は、金めっきによって設けられる。銀色の金属薄膜３３は、銀めっき、又は、ニッケルめっきなどによって設けられる。その他、白金、銅、亜鉛などの各種金属材料を用いためっきを施すことで、口金本体３１の外周に金属薄膜３３を設けることができる。
【０１１８】
このように、口金本体３１に設けた金属薄膜３３の種類、具体的には、色及び数によって直管ＬＥＤランプ１の型番を識別できるので、特に、直管ＬＥＤランプ１を新しいものに取り替える際に、格別の効果を奏する。具体的には、取り替え前に照明器具に取り付けられている直管ＬＥＤランプ１の口金本体３１の金属薄膜３３の色及び数と、同じ色及び数の金属薄膜が設けられた口金本体を備える直管ＬＥＤランプに取り替えればよい。このように、金属薄膜３３の色及び数を判断すればよく、型番の照合などを行う必要もないので、非常に容易に、適切な照明器具に直管ＬＥＤランプ１を取り付けることができる。
【０１１９】
また、直管ＬＥＤランプ１を目視によってその属性を識別するためには、直管ＬＥＤランプ１の外郭に、属性に対応付けられた色及び数の金属薄膜を設ける必要がある。したがって、例えば、筐体２０、給電用口金３０及び非給電用口金４０のいずれかに金属薄膜が設けられることが好ましい。
【０１２０】
しかしながら、例えば、筐体２０は、ＬＥＤモジュール１０から発せられた光を透過させるために、透光性を有する必要がある。このため、筐体２０に金属薄膜を設けた場合、金属薄膜が遮光膜として機能するため、光の透過率が低下する。したがって、金属薄膜を筐体２０に設けることは困難である。
【０１２１】
また、給電用口金３０の給電ピン３２は、照明器具に取り付ける際に利用される。つまり、照明器具に取り付けられている場合には、給電ピン３２を目視することができない。これは、非給電用口金４０の非給電ピン４２の場合も同じである。したがって、給電ピン３２及び非給電ピン４２に金属薄膜を設けた場合であっても、視覚的な識別効果が低い。
【０１２２】
これらに対して、本実施の形態のように、口金本体３１に金属薄膜３３を設けたとしても、直管ＬＥＤランプ１の性能には大きな影響を与えない。なぜなら、口金本体３１は、通常、遮光性の材料から構成されており、光量に影響は与えないためである。また、口金本体３１に金属薄膜３３を設けるだけで、形状を変化させないので、直管ＬＥＤランプ１を照明器具に取り付ける際に妨げになることもない。
【０１２３】
したがって、属性に対応した色及び数の金属薄膜３３を口金本体３１に設けることが好ましい。なお、非給電用口金４０の口金本体４１に金属薄膜を設けてもよい。あるいは、口金本体３１及び口金本体４１の双方に金属薄膜を設けてもよい。このとき、口金本体３１に設ける金属薄膜の色及び数と、口金本体４１に設ける金属薄膜の色及び数とは、同一でもよく、又は、互いに異なっていてもよい。
【０１２４】
以上のように、図３に示す例では、他の直管ＬＥＤランプ及び本実施の形態に係る直管ＬＥＤランプ１を含む複数の直管ＬＥＤランプの型番毎に、金属薄膜３３の互いに異なる色及び数が予め対応付けられている。このとき、本実施の形態に係る金属薄膜３３の色、すなわち、口金本体３１を構成する樹脂材料の色とは異なる色は、直管ＬＥＤランプ１自身の型番に対応する色である。
【０１２５】
また、識別部は、口金本体３１の外面の一部に設けられた、樹脂材料の色とは異なる色及び数の金属薄膜３３である。識別部を目視することで、すなわち、金属薄膜３３の色及び数を目視することで、本実施の形態に係る直管ＬＥＤランプ１を他の直管ＬＥＤランプから識別することができる。
【０１２６】
なお、図３に示す例では、金属薄膜３３の色と数との組み合わせによって、直管ＬＥＤランプ１の識別を可能にする例について示したが、これに限らない。金属薄膜３３の色だけでもよく、あるいは、金属薄膜３３の数だけでもよい。
【０１２７】
また、金属薄膜３３を口金本体３１の外周に沿ってライン状に設けたが、これに限らない。例えば、金属薄膜は、口金本体３１の底部から開口に向かう方向に設けられてもよい。また、連続する直線形状（実線状）の金属薄膜３３を設けたが、断続的な直線形状（破線又は点線状）の金属薄膜を設けてもよい。
【０１２８】
あるいは、丸又は四角などの記号状の金属薄膜を設けてもよい。また、数字又は文字などの金属薄膜を設けてもよい。
【０１２９】
また、金属薄膜は、口金本体３１の底部のみ、又は、側面部のみに設けられてもよい。あるいは、口金本体３１全体に金属薄膜を設けてもよい。ただし、この場合は、給電ピン３２と口金本体３１との絶縁性を確保する必要がある。
【０１３０】
［型番と口金本体の形状］
次に、視覚的に識別可能な口金本体３１の形態の一例として、口金本体３１の形状について、図４を用いて説明する。なお、直管ＬＥＤランプ１の属性は、例えば、直管ＬＥＤランプの型番を示す情報である。
【０１３１】
図４は、本発明の実施の形態１に係る直管ＬＥＤランプの型番と口金本体の形状との対応関係の一例を示す図である。図４に示す例では、本実施の形態に係る直管ＬＥＤランプ１の識別部は、複数の型番に予め対応付けられた複数の形状のうち、直管ＬＥＤランプ１の型番に対応する形状を有する。
【０１３２】
図４に示すように、複数の型番のそれぞれに、互いに異なる口金本体３１の形状が対応付けられている。例えば、「Ｐ００００１」〜「Ｐ００００４」をいう型番に、「円筒」、「角筒」、「段付き円筒」、「段付き角筒」という形状を１対１に対応付けている。なお、これらの直管ＬＥＤランプの型番と口金本体３１の形状とは、一例に過ぎない。
【０１３３】
口金本体３１は、型番に対応する形状で成形されている。例えば、各形状に対応する金型を用いた樹脂成形方法に基づいて、口金本体３１を作製することができる。
【０１３４】
ここで、「円筒」は、略円形の開口を有する口金本体３１である。具体的には、「円筒」は、内径及び外径が略均一の円筒形状の口金本体３１である。「角筒」は、矩形の開口を有する口金本体３１である。具体的には、「角筒」は、断面が略均一の矩形である角筒形状の口金本体３１である。
【０１３５】
「段付き」は、例えば、図４に示すように、少なくとも外側面に段差を有する口金本体３１である。言い換えると、「段付き」の口金本体３１は、略均一の外径を有する幅広部と、幅広部の外径より小さい略均一の外径を有する幅狭部とを有する。なお、内径は、幅広部と幅狭部とで異なっていてもよく、又は、略均一でもよい。
【０１３６】
このように、口金本体３１の形状によって直管ＬＥＤランプ１の型番を識別できるので、特に、直管ＬＥＤランプ１を新しいものに取り替える際に、格別の効果を奏する。具体的には、取り替え前に照明器具に取り付けられている直管ＬＥＤランプ１の口金本体３１の形状と、同じ形状の口金本体を備える直管ＬＥＤランプに取り替えればよい。このように、口金本体３１の形状を判断すればよく、型番の照合などを行う必要もないので、非常に容易に、適切な照明器具に直管ＬＥＤランプを取り付けることができる。
【０１３７】
また、直管ＬＥＤランプ１を目視によってその属性を識別するためには、直管ＬＥＤランプ１の外郭に、属性に対応付けられた形状を有する部位を設ける必要がある。したがって、例えば、筐体２０、給電用口金３０及び非給電用口金４０のいずれかに、所定の形状の部位が設けられることが好ましい。
【０１３８】
しかしながら、例えば、筐体２０は、ＬＥＤモジュール１０から発せられた光を透過させるために、所望の透光率及び配向性を有する必要がある。このため、筐体２０の形状を異ならせた場合、透光率が低下し、また、配向性が変化してしまう。したがって、筐体２０の形状を異ならせることは困難である。
【０１３９】
また、給電用口金３０の給電ピン３２は、照明器具に取り付ける際に利用される。つまり、照明器具に適切に取り付けるためには、給電ピン３２の形状は予め定められた規格に準拠しなくてはいけない。したがって、給電ピン３２の形状の自由度はほとんどなく、視覚的に識別可能な程度に、給電ピン３２の形状を異ならせることはできない。これは、非給電用口金４０の非給電ピン４２の場合も同じである。したがって、給電ピン３２及び非給電ピン４２の形状を異ならせることは困難である。
【０１４０】
これらに対して、本実施の形態のように、口金本体３１の形状を異ならせたとしても、直管ＬＥＤランプ１の性能には大きな影響を与えない。なぜなら、口金本体３１は、通常、遮光性の材料から構成されており、光量及び光色に影響は与えないためである。また、給電ピン３２の形状よりも、口金本体３１の形状には自由度がある。つまり、口金本体３１の形状は、給電ピン３２よりも大きく変形させることができる。そのため、予め定められた規格に準拠する範囲内で、口金本体３１の形状を変化させることで、十分な識別効果を得ることができる。
【０１４１】
したがって、口金本体３１の形状を属性に対応して異ならせることが好ましい。なお、非給電用口金４０の口金本体４１の形状を異ならせてもよい。あるいは、口金本体３１及び口金本体４１の双方の形状を異ならせてもよい。このとき、口金本体３１及び口金本体４１は、同一の形状でもよく、又は、互いに異なる形状でもよい。
【０１４２】
以上のように、図４に示す例では、他の直管ＬＥＤランプ及び本実施の形態に係る直管ＬＥＤランプ１を含む複数の直管ＬＥＤランプの型番毎に、口金本体３１の互いに異なる形状が予め対応付けられている。このとき、本実施の形態に係る口金本体３１の形状は、直管ＬＥＤランプ１自身の型番に対応する形状である。
【０１４３】
また、識別部は、口金本体３１の形状である。例えば、本実施の形態に係る口金本体は、矩形の開口を有する。識別部を目視することで、すなわち、口金本体３１の形状を目視することで、本実施の形態に係る直管ＬＥＤランプ１を他の直管ＬＥＤランプから識別することができる。
【０１４４】
なお、上記では、断面が矩形の筒体である口金本体３１を利用する例について示したが、これに限らない。例えば、円筒の口金本体に凹部又は凸部を設けてもよい。
【０１４５】
［効果など］
以上のように、本実施の形態に係る直管ＬＥＤランプ１は、長尺状の筐体２０と、筐体２０の長手方向の端部に設けられた給電用口金３０とを備え、給電用口金３０は、筒状の口金本体３１を有し、口金本体３１は、所定の属性が異なる他の直管ＬＥＤランプから直管ＬＥＤランプ１を知覚的に識別することを可能にする識別部を有する。
【０１４６】
これにより、口金本体３１が有する識別部を知覚的に認識することで、直管ＬＥＤランプ１を他の直管ＬＥＤランプから識別することができる。例えば、口金本体３１を目視するだけで、直管ＬＥＤランプ１を他の直管ＬＥＤランプから識別することができる。このため、例えば、照明器具に取り付けられた直管ＬＥＤランプ１を取り替える際に、直管ＬＥＤランプ１の属性についての知識は必要ではなく、目視した口金本体と同じ口金本体を有する直管ＬＥＤランプを取り付ければよい。このように、照明器具への適切な取り付けを支援し、信頼性を高めることができる。
【０１４７】
また、本実施の形態に係る直管ＬＥＤランプ１では、口金本体３１は、樹脂材料から構成され、識別部は、口金本体３１の外面の少なくとも一部であって、樹脂材料の色とは異なる色に着色された部分である。
【０１４８】
これにより、口金本体３１の外面の少なくとも一部が樹脂材料の色とは異なる色に着色されているため、口金本体３１を目視することで、直管ＬＥＤランプ１を他の直管ＬＥＤランプから識別することができる。例えば、照明器具に取り付けられた直管ＬＥＤランプ１を取り替える際に、目視した口金本体３１の色と同じ色の口金本体を有する直管ＬＥＤランプを取り付ければよい。このように、照明器具への適切な取り付けを支援し、信頼性を高めることができる。
【０１４９】
また、本実施の形態に係る直管ＬＥＤランプ１では、識別部は、樹脂材料の色とは異なる色に着色された、口金本体３１の全体であってもよい。
【０１５０】
これにより、口金本体３１の全体が着色されているので、視覚的な識別効果が高くなる。また、例えば、樹脂材料と、当該樹脂材料とは異なる色の顔料又は染料とを混合した材料を用いた樹脂成形によって、全体が着色された口金本体３１を容易に作製することができる。
【０１５１】
また、本実施の形態に係る直管ＬＥＤランプ１では、識別部は、口金本体３１の外面の一部に設けられた、樹脂材料の色とは異なる色の金属薄膜３３であってもよい。
【０１５２】
これにより、口金本体３１の外面の一部に、樹脂材料とは異なる色の金属薄膜３３が設けられているため、口金本体３１を目視することで、直管ＬＥＤランプ１を他の直管ＬＥＤランプから識別することができる。例えば、照明器具に取り付けられた直管ＬＥＤランプ１を取り替える際に、目視した口金本体３１に設けられた金属薄膜３３と同じ色の金属薄膜を有する直管ＬＥＤランプを取り付ければよい。このように、照明器具への適切な取り付けを支援し、信頼性を高めることができる。
【０１５３】
また、本実施の形態に係る直管ＬＥＤランプ１では、他の直管ＬＥＤランプ及び直管ＬＥＤランプ１を含む複数の直管ＬＥＤランプの属性毎に、互いに異なる色が予め対応付けられており、樹脂材料の色とは異なる色は、直管ＬＥＤランプ１の属性に対応する色である。
【０１５４】
これにより、複数の直管ＬＥＤランプの属性毎に、互いに異なる色が予め対応付けられているので、目視により口金本体３１の色を認識するだけで、複数の直管ＬＥＤランプから直管ＬＥＤランプ１を識別することができる。
【０１５５】
また、本実施の形態に係る直管ＬＥＤランプ１では、識別部は、口金本体３１の形状であり、口金本体３１は、矩形の開口を有してもよい。
【０１５６】
これにより、口金本体３１は、断面が矩形の筒体であるから、直管ＬＥＤランプ１を一般的な円筒状の直管ＬＥＤランプから識別することができる。例えば、照明器具に取り付けられた直管ＬＥＤランプ１を取り替える際に、目視した口金本体３１と同じ形状の口金本体を有する直管ＬＥＤランプを取り付ければよい。このように、照明器具への適切な取り付けを支援し、信頼性を高めることができる。
【０１５７】
また、本実施の形態に係る直管ＬＥＤランプ１では、他の直管ＬＥＤランプ及び直管ＬＥＤランプ１を含む複数の直管ＬＥＤランプの属性毎に、口金本体の互いに異なる形状が予め対応付けられており、口金本体３１は、直管ＬＥＤランプ１の属性に対応する口金本体の形状として、矩形の開口を有してもよい。
【０１５８】
これにより、複数の直管ＬＥＤランプの属性毎に、互いに異なる形状が予め対応付けられているので、目視により口金本体３１の形状を認識するだけで、複数の直管ＬＥＤランプから直管ＬＥＤランプ１を識別することができる。
【０１５９】
また、本実施の形態に係る直管ＬＥＤランプ１では、属性は、直管ＬＥＤランプの型番を示す情報である。
【０１６０】
これにより、直管ＬＥＤランプの型番を確認することなく、口金本体３１を目視することで、直管ＬＥＤランプ１を他の直管ＬＥＤランプから識別することができる。
【０１６１】
（実施の形態１の変形例１）
続いて、本発明の実施の形態１の変形例１に係る直管ＬＥＤランプについて、図５Ａ及び図５Ｂを用いて説明する。図５Ａは、本発明の実施の形態１の変形例１に係る給電用口金の一例を示す概観斜視図である。図５Ｂは、本発明の実施の形態１の変形例１に係る給電用口金の一例を示す平面図である。
【０１６２】
図５Ａ及び図５Ｂに示すように、口金本体３１の外面の一部には、凹部３４が設けられている。具体的には、凹部３４は、口金本体３１の側面部に口金本体３１の外周に沿って設けられたライン状の凹部である。
【０１６３】
凹部３４の内面は、口金本体３１を構成する樹脂材料の色とは異なる色に着色されている。具体的には、凹部３４の内面は、直管ＬＥＤランプの属性に対応する色に着色されている。例えば、凹部３４の内面は、図２に示すような直管ＬＥＤランプの型番に対応する色に着色されている。
【０１６４】
以上のように、本変形例に係る直管ＬＥＤランプ１では、口金本体３１の外面の一部には、凹部３４が設けられ、識別部は、樹脂材料の色とは異なる色に着色された、凹部３４の内面である。
【０１６５】
これにより、口金本体３１の外面の一部に内面が着色された凹部３４が設けられているため、口金本体３１を目視することで、直管ＬＥＤランプ１を他の直管ＬＥＤランプから識別することができる。例えば、照明器具に取り付けられた直管ＬＥＤランプ１を取り替える際に、目視した口金本体３１に設けられた凹部３４と同じ色の凹部が設けられた口金本体を有する直管ＬＥＤランプを取り付ければよい。このように、照明器具への適切な取り付けを支援し、信頼性を高めることができる。
【０１６６】
なお、口金本体３１に複数の凹部３４を設けてもよい。このとき、複数の凹部３４は、全て同じ色に着色されてもよく、あるいは、互いに異なる色に着色されてもよい。このように、凹部３４の数と色とを組み合わせることで、識別可能な直管ＬＥＤランプの数を増やすことができる。
【０１６７】
また、凹部３４に図３に示すような金属薄膜３３を設けてもよい。
【０１６８】
また、口金本体３１の外周に沿ってライン状の凹部３４を設けたが、これに限らない。例えば、凹部３４は、口金本体３１の底部から開口に向かう方向に設けられてもよい。また、連続する直線形状（実線状）の凹部３４（溝）を設けたが、断続的な直線形状（破線又は点線状）の凹部を設けてもよい。
【０１６９】
また、口金本体３１に凸部を設け、当該凸部を、属性に対応する色に着色してもよい。
【０１７０】
（実施の形態１の変形例２）
続いて、本発明の実施の形態１の変形例２に係る直管ＬＥＤランプについて、説明する。実施の形態１では、直管ＬＥＤランプの属性の一例である型番について説明したが、直管ＬＥＤランプの属性は、例えば、使用環境又は使用目的でもよい。なお、実施の形態１の変形例２では、口金本体の識別可能な形態の例として、口金本体の色について説明する。
【０１７１】
まず、直管ＬＥＤランプ１の使用環境と、口金本体３１の色との対応関係について、図６を用いて説明する。図６は、本発明の実施の形態１の変形例２に係る直管ＬＥＤランプの使用環境と口金本体の色との対応関係の一例を示す図である。図６に示す例では、本実施の形態の変形例２に係る直管ＬＥＤランプ１の識別部は、複数の使用環境に予め対応付けられた複数の色のうち、直管ＬＥＤランプ１の使用環境に対応する色を有する。
【０１７２】
図６に示すように、口金本体３１は、直管ＬＥＤランプ１の様々な使用環境に、互いに異なる色を対応付けている。例えば、「家庭」に「赤」、「浴室」に「青」、「工場」に「黄」、「屋外」に「黒」のように使用環境と色とを１対１に対応付けている。具体的には、使用環境と、当該使用環境に適した性能を有する直管ＬＥＤランプの口金本体３１の色とを１対１に対応付ける。なお、これらの直管ＬＥＤランプの使用環境と、口金本体３１の色とは一例に過ぎない。
【０１７３】
直管ＬＥＤランプ１の使用環境は、直管ＬＥＤランプ１が使用される環境を示す情報であり、例えば、直管ＬＥＤランプ１が曝される状況を示す情報である。直管ＬＥＤランプ１が曝される状況とは、例えば、湿度が高い環境、汚染物質の濃度が高い環境、太陽光などの自然光の少ない環境などである。具体的には、直管ＬＥＤランプ１の使用環境は、直管ＬＥＤランプ１が使用される場所を示す情報である。
【０１７４】
直管ＬＥＤランプ１は、使用環境に応じて、要求される性能が異なる。したがって、使用環境に応じて、性能の異なる直管ＬＥＤランプ１を適切に取り付けることが要求される。
【０１７５】
例えば、「浴室」で使用されるランプとしては、「家庭」で使用されるランプに比べて、湿気などの水分の影響を抑制するために、耐水性の高い直管ＬＥＤランプが好ましい。「工場」で使用されるランプとしては、「家庭」で使用されるランプに比べて、広範囲を照射することが多いために、高出力の直管ＬＥＤランプが好ましい。「屋外」で使用されるランプとしては、「家庭」で使用されるランプに比べて、広範囲を照射することが多く、また、排気ガスの影響など劣悪な環境で使用されることが多いので、高出力、かつ、耐久性の高い直管ＬＥＤランプが好ましい。
【０１７６】
したがって、図６に示すように、使用環境と口金本体３１の色とを１対１に対応付けておくことで、口金本体３１を目視することにより、使用すべき直管ＬＥＤランプ１を容易に識別することができる。
【０１７７】
続いて、直管ＬＥＤランプ１の使用目的と、口金本体３１の色との対応関係について、図７を用いて説明する。図７は、本発明の実施の形態１の変形例２に係る直管ＬＥＤランプの使用目的と口金本体の色との対応関係の一例を示す図である。図７に示す例では、本実施の形態の変形例２に係る直管ＬＥＤランプ１の識別部は、複数の使用目的に予め対応付けられた複数の色のうち、直管ＬＥＤランプ１の使用目的に対応する色を有する。
【０１７８】
図７に示すように、口金本体３１は、直管ＬＥＤランプ１の様々な使用目的に、互いに異なる色を対応付けている。例えば、「家庭用」に「赤」、「店舗用」に「青」、「農業用」に「黄」、「道路用」に「黒」のように使用目的と色とを１対１に対応付けている。具体的には、使用目的と、当該使用目的に適した性能を有する直管ＬＥＤランプの口金本体３１の色とを１対１に対応付ける。なお、これらの直管ＬＥＤランプの使用目的と、口金本体３１の色とは一例に過ぎない。
【０１７９】
直管ＬＥＤランプ１の使用目的は、直管ＬＥＤランプ１が用いられるべき用途を示す情報である。
【０１８０】
直管ＬＥＤランプ１は、使用環境と同様に、使用目的に応じて、要求される性能が異なる。したがって、使用目的に応じて、性能の異なる適切な直管ＬＥＤランプ１を適切に取り付けることが要求される。
【０１８１】
例えば、「店舗用」に使用されるランプとしては、「家庭用」に使用されるランプに比べて、商品に対する照明効果を高めるために、高出力の直管ＬＥＤランプが好ましい。「農業用」に使用されるランプとしては、「家庭用」に使用されるランプに比べて、農作物に散水する水の影響を抑制するために、耐水性の高い直管ＬＥＤランプが好ましい。「道路用」に使用されるランプとしては、「家庭用」に使用されるランプに比べて、排気ガスの影響など劣悪な環境で使用されることが多いので、耐久性の高い直管ＬＥＤランプが好ましい。
【０１８２】
したがって、図７に示すように、使用目的と口金本体３１の色とを１対１に対応付けておくことで、口金本体３１を目視することにより、使用すべき直管ＬＥＤランプ１を容易に識別することができる。
【０１８３】
以上のように、本変形例に係る直管ＬＥＤランプ１では、属性は、直管ＬＥＤランプの使用環境又は使用目的を示す情報である。
【０１８４】
これにより、使用環境又は使用目的に応じた直管ＬＥＤランプ１を適切に照明器具に取り付けることができる。例えば、新たに直管ＬＥＤランプ１を照明器具に取り付けようとする場合に、「家庭」に取り付けるのか、「浴室」に取り付けるのかを判断するだけでよい。例えば、対応する照明器具に対応する色又は形の印を付けておくだけで、容易に適切な直管ＬＥＤランプ１を準備することができる。つまり、色又は形で判断できるので、数字及び文字の組み合わせからなる型番に比べて、格段に容易に適切な直管ＬＥＤランプ１を準備することができる。
【０１８５】
なお、上記の実施の形態１並びにその変形例１及び２を組み合わせてもよい。例えば、直管ＬＥＤランプ１の属性に、口金本体３１の色と金属薄膜３３との組み合わせを対応付けてもよい。口金本体３１の色と、凹部３４の内面の色とを異ならせておき、直管ＬＥＤランプ１の属性に、口金本体３１の色と凹部３４の内面の色との組み合わせを対応付けてもよい。あるいは、直管ＬＥＤランプ１の属性に、口金本体３１の色と形状との組み合わせを対応付けてもよい。
【０１８６】
また、直管ＬＥＤランプ１の型番と口金本体３１の色とを対応付け、直管ＬＥＤランプ１の使用環境又は使用目的と口金本体３１の形状とを対応付けてもよい。これにより、口金本体３１の色から型番の違いを識別することができ、口金本体３１の形状から使用環境又は使用目的を識別することができる。
【０１８７】
（実施の形態２）
本発明の実施の形態２に係る照明装置は、上述の照明用光源を備える照明装置である。例えば、実施の形態２に係る照明装置は、実施の形態１に係る直管ＬＥＤランプ１を備える。
【０１８８】
図８は、本発明の実施の形態２に係る照明装置２の一例を示す概観斜視図である。図８に示すように、実施の形態２に係る照明装置２は、ベースライトであり、直管ＬＥＤランプ１と、照明器具２００とを備える。
【０１８９】
直管ＬＥＤランプ１は、実施の形態１に係る直管ＬＥＤランプ１であり、照明装置２の照明用光源として用いられる。なお、本実施の形態に係る照明装置２は、一例として２本の直管ＬＥＤランプ１を備える。
【０１９０】
照明器具２００は、直管ＬＥＤランプ１と電気的に接続され、かつ、直管ＬＥＤランプ１を保持する一対の受金２１０と、受金２１０が取り付けられる器具本体２２０とを備える。
【０１９１】
器具本体２２０は、例えば、アルミ鋼板をプレス加工などすることによって成形することができる。また、その表面は、直管ＬＥＤランプ１から発せられた光を所定方向（例えば、下方）に反射させる反射面の機能を有する。
【０１９２】
照明器具２００は、例えば、天井などに固定具を介して装着される。なお、照明器具２００には、直管ＬＥＤランプ１の点灯を制御するための回路などが内蔵されていてもよい、また、直管ＬＥＤランプ１を覆うようにカバー部材が設けられていてもよい。
【０１９３】
このとき、照明器具２００に、例えば、取り付けるべき直管ＬＥＤランプ１の口金本体３１の色又は形の印を付してもよい。これにより、例えば、型番を照合する場合に比べて、色又は形で視覚的に識別することができるので、照明器具２００に取り付けるべき直管ＬＥＤランプ１を容易に識別することができる。
【０１９４】
以上のように、本実施の形態に係る照明装置２は、他の実施の形態と同様に、口金本体３１が有する識別部を知覚的に認識することで、直管ＬＥＤランプ１を他の直管ＬＥＤランプから識別することができる。例えば、口金本体３１を目視するだけで、直管ＬＥＤランプ１を他の直管ＬＥＤランプから識別することができる。このため、例えば、照明器具に取り付けられた直管ＬＥＤランプ１を取り替える際に、直管ＬＥＤランプ１の属性についての知識は必要ではなく、目視した口金本体と同じ口金本体を有する直管ＬＥＤランプを取り付ければよい。このように、照明器具への適切な取り付けを支援し、信頼性を高めることができる。したがって、本実施の形態によれば、照明器具への適切に取り付けられて、信頼性が高い照明装置２を提供することができる。
【０１９５】
（その他）
以上、本発明に係る照明用光源及び照明装置について、上記実施の形態に基づいて説明したが、本発明は、上記の実施の形態に限定されるものではない。
【０１９６】
例えば、上記の実施の形態及び変形例において、口金本体が視覚的に識別可能な例について説明したが、これに限らない。例えば、口金本体が触覚的に識別可能でもよい。例えば、口金本体の表面に細かい凹凸を設けることで、口金本体を触った場合に口金本体の質感によって他の直管ＬＥＤランプから識別可能でもよい。これにより、例えば、目の不自由な人であっても適切な直管ＬＥＤランプを識別することができる。
【０１９７】
また、上記の実施の形態及び変形例は、直管ＬＥＤランプの在庫管理にも有用に利用することができる。例えば、まず、図２〜図４に示すような直管ＬＥＤランプの型番と口金本体の色とを対応付けた表を準備する。次に、準備した表に従って、それぞれの直管ＬＥＤランプを複数個製造する。複数個製造された直管ＬＥＤランプを、口金本体の色毎に管理することで、容易に型番毎に直管ＬＥＤランプを分類することができる。
【０１９８】
また、上記の実施の形態及び変形例において、直管ＬＥＤモジュールの属性の例として、型番、使用環境及び使用目的について説明したが、これに限らない。例えば、直管ＬＥＤモジュールの属性は、光色、消費電力、製造元（自社製品であるか他社製品であるか）などを示す情報でもよい。
【０１９９】
また、上記の実施の形態及び変形例において、口金本体の材料として樹脂材料を用いたが、金属材料でもよい。例えば、金属材料を用いた金属成形によって口金本体を作製してもよい。
【０２００】
また、上記の実施の形態において、ＬＥＤモジュールが、パッケージ化されたＬＥＤ素子を用いたＳＭＤ型のＬＥＤモジュールである場合について説明したが、これに限らない。ＬＥＤモジュールは、基板上に複数のＬＥＤチップが直接実装され、複数のＬＥＤチップを蛍光体含有樹脂によって一括封止した構成であるＣＯＢ（Ｃｈｉｐ  Ｏｎ  Ｂｏａｒｄ）型のＬＥＤモジュールでもよい。
【０２０１】
また、筐体内に配置される基板（ＬＥＤモジュール）は、直列又は並列に２枚以上並べてもよい。この場合、接続端子を介してそれぞれの基板に設けられた金属配線を接続すればよい。
【０２０２】
また、筐体は、例えば、ＬＥＤモジュールを覆う長尺状の透光性カバーと、基台とによって構成されてもよい。この場合、ＬＥＤモジュールは、例えば、基台に戴置される。つまり、筐体は、一体の筐体でなくてもよく、透光性カバーと基台とからなる筐体などの、複数に分割可能な筐体であってもよい。
【０２０３】
また、口金本体は、底部を有していなくてもよい。つまり、口金本体は、両端に開口を有する筒体でもよい。
【０２０４】
また、筐体の端部が口金を覆ってもよい。つまり、口金の外径が筐体の端部の内径より小さくてもよい。
【０２０５】
また、例えば、上記の実施の形態では、給電用口金のみの片側から筐体内の全ＬＥＤに給電を行う片側給電方式を採用したが、両側の口金の両方とも給電ピンとするＧ１３口金及びＬ形口金などの両側給電方式を採用してもよい。この場合、一方側の給電ピンも他方側の給電ピンも１ピンとするような構成でもよい。あるいは、一方側の給電ピンも他方側の給電ピンも一対の給電ピンとして両側から受電するような構成でもよい。また、一対の給電ピン又は非給電ピンは、棒状金属に限らず、平板金属などによって構成されてもよい。
【０２０６】
さらに、上記給電方式の態様から、本発明に係る直管ＬＥＤランプでは、例えば、以下のバリエーションが挙げられる。すなわち、一方側がＬ形口金及び他方側が非給電ピンを持つ口金で構成された片側給電方式、両側がＬ形口金で構成された両側給電方式、両側がＬ形口金で構成された片側給電方式、Ｇ１３口金で構成された両側給電方式、並びに、Ｇ１３口金で構成された片側給電方式などである。
【０２０７】
また、上記実施の形態に係る直管ＬＥＤランプは、外部電源から直流電力を受電する方式であるが、電源回路（ＡＣ−ＤＣコンバータ回路）を内蔵することにより、外部電源から交流電力を受電する方式であってもよい。
【０２０８】
また、上記の実施の形態において、ＬＥＤモジュールは、青色ＬＥＤチップと黄色蛍光体とによって白色光を放出するように構成したが、これに限られない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体粒子、緑色蛍光体粒子及び赤色蛍光体粒子によって白色光を放出するように構成してもよい。
【０２０９】
また、上記の実施の形態において、発光素子としてＬＥＤを例示したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【０２１０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２１１】
１  直管ＬＥＤランプ（照明用光源）
２  照明装置
１０  ＬＥＤモジュール
１１  基板
１２  ＬＥＤ素子
２０  筐体
３０  給電用口金
３１、４１  口金本体
３２  給電ピン
３３  金属薄膜
３４  凹部
４０  非給電用口金
４２  非給電ピン
２００  照明器具
２１０  受金
２２０  器具本体
【図１】
2015176679.tif 000003
【図２】
2015176679.tif 000004
【図３】
2015176679.tif 000005
【図４】
2015176679.tif 000006
【図５Ａ】
2015176679.tif 000007
【図５Ｂ】
2015176679.tif 000008
【図６】
2015176679.tif 000009
【図７】
2015176679.tif 000010
【図８】
2015176679.tif 000011